(57)【要約】  センサー保持装置は、腐食の程度を検出する検出部を保持する保持位置を複数備えるセンサー保持部と、前記センサー保持部のうち、一部を暴露状態にし、他を非暴露状態にする蓋部と、前記蓋部と、前記センサー保持部との相対位置を制御することにより、前記センサー保持部が暴露状態にされる前記センサー保持部上の暴露位置を変化させる制御部と、を備える。
2018142502.tif 000002
【特許請求の範囲】
【請求項１】
腐食の程度を検出する検出部を保持する保持領域を複数有するセンサー保持部と、
前記センサー保持部に備えられた複数の前記保持領域のうち、一部の前記保持領域について前記検出部が保持されたときのセンサー面を暴露状態にし、かつ他の前記保持領域について前記検出部が保持されたときのセンサー面を非暴露状態にすることが可能な状態切換部と、
を備えるセンサー保持装置。
【請求項２】
前記状態切換部は、前記センサー保持部に備えられた複数の前記保持領域の各々に対応する複数の蓋部を有しており、前記暴露状態にする前記保持領域の前記蓋部が開状態となり、かつ前記非暴露状態にする前記保持領域の前記蓋部が閉状態となる、
請求項１に記載のセンサー保持装置。
【請求項３】
前記状態切換部は、前記センサー保持部に備えられた複数の前記保持領域のうち一部を覆い、かつ他を覆わないことが可能な形状を持つ覆い部を有し、前記覆い部と前記センサー保持部との相対位置に応じて、前記覆い部により覆われない前記保持領域について前記暴露状態にし、かつ前記覆い部により覆われる前記保持領域について前記非暴露状態にする、
請求項１に記載のセンサー保持装置。
【請求項４】
前記センサー保持部と前記覆い部とは、所定の回転中心を中心にして回転方向に相対位置が変化され、
前記センサー保持部は、前記回転中心の周囲の円周に沿って複数の前記保持領域を有する、
請求項３に記載のセンサー保持装置。
【請求項５】
前記状態切換部は、前記センサー保持部が有する複数の前記保持領域のすべてについて前記検出部が保持されたときのセンサー面を前記非暴露状態にすることが可能である、
請求項１から請求項４のいずれか１項に記載のセンサー保持装置。
【請求項６】
自装置を対象物に取り付ける取付部を備え、
前記状態切換部は、自装置が前記対象物に取り付けられた場合に、前記暴露状態として鉛直上方において暴露される状態にすることが可能である、
請求項１から請求項５のいずれか１項に記載のセンサー保持装置。
【請求項７】
請求項１から請求項６のいずれか１項に記載のセンサー保持装置を複数備え、
複数の前記センサー保持装置における前記暴露状態を変更する、
センサー保持システム。
【発明の詳細な説明】
【技術分野】
【０００１】
本発明は、センサー保持装置及びセンサー保持システムに関する。
【背景技術】
【０００２】
近年、構造物ヘルスモニタリング（ＳＨＭ：Ｓｔｒｕｃｔｕｒａｌ  Ｈｅａｌｔｈ  Ｍｏｎｉｔｏｒｉｎｇ）に関する技術が知られている。構造物ヘルスモニタリングとは、構造物に取り付けたセンサーにより歪み、振動、腐食などを観測し、そのセンシングデータを分析して構造物の劣化診断や異常検知などを行う技術である。従来、構造物を構成する鋼材に腐食センサーを設置し、構造物の腐食の程度を検出する技術が知られている（例えば、特許文献１）。
【先行技術文献】
【特許文献】
【０００３】
【特許文献１】特開２０１２−１４５３３０号公報
【発明の概要】
【発明が解決しようとする課題】
【０００４】
ここで、構造物が鉄塔である場合等、構造物の状態を検出するセンサーを設置する作業者は、高所作業を行うことが求められる。この場合、作業者は、センサーを容易に設置又は交換を行うことが困難である。つまり、センサーを設置する場所によっては、センサーを設置する手間を低減することが困難である場合がある。【０００５】
本発明は、上記問題に鑑みて為されたものであり、構造物に腐食センサーを設置する手間を低減する仕組みを提供することを目的とする。
【課題を解決するための手段】
【０００６】
本発明の一実施形態は、腐食の程度を検出する検出部を保持する保持領域を複数有するセンサー保持部と、前記センサー保持部に備えられた複数の前記保持領域のうち、一部の前記保持領域について前記検出部が保持されたときのセンサー面を暴露状態にし、かつ他の前記保持領域について前記検出部が保持されたときのセンサー面を非暴露状態にすることが可能な状態切換部と、を備えるセンサー保持装置である。【０００７】
本発明の一実施形態のセンサー保持装置において、前記状態切換部は、前記センサー保持部に備えられた複数の前記保持領域の各々に対応する複数の蓋部を有しており、前記暴露状態にする前記保持領域の前記蓋部が開状態となり、かつ前記非暴露状態にする前記保持領域の前記蓋部が閉状態となる。【０００８】
本発明の一実施形態のセンサー保持装置において、前記状態切換部は、前記センサー保持部に備えられた複数の前記保持領域のうち一部を覆い、かつ他を覆わないことが可能な形状を持つ覆い部を有し、前記覆い部と前記センサー保持部との相対位置に応じて、前記覆い部により覆われない前記保持領域について前記暴露状態にし、かつ前記覆い部により覆われる前記保持領域について前記非暴露状態にする。【０００９】
本発明の一実施形態のセンサー保持装置において、前記センサー保持部と前記覆い部とは、所定の回転中心を中心にして回転方向に相対位置が変化され、前記センサー保持部は、前記回転中心の周囲の円周に沿って複数の前記保持領域を有する。【００１０】
本発明の一実施形態のセンサー保持装置において、前記状態切換部は、前記センサー保持部が有する複数の前記保持領域のすべてについて前記検出部が保持されたときのセンサー面を前記非暴露状態にすることが可能である。【００１１】
本発明の一実施形態のセンサー保持装置において、自装置を対象物に取り付ける取付部を備え、前記状態切換部は、自装置が前記対象物に取り付けられた場合に、前記暴露状態として鉛直上方において暴露される状態にすることが可能である。【００１２】
本発明の一実施形態は、上述したセンサー保持装置を複数備え、複数の前記センサー保持装置における前記暴露状態を変更するセンサー保持システムである。
【発明の効果】
【００１３】
本発明によれば、構造物にセンサーを設置する手間を低減する仕組みを提供することができる。
【図面の簡単な説明】
【００１４】
【図１】第１実施形態に係るセンサー保持装置の概要の一例を示す図である。
【図２】第１実施形態に係るセンサー保持装置の構成の一例を示す第１の図である。
【図３】変形例１に係るセンサー保持装置１の構成の一例を示す図である。
【図４】変形例２に係るセンサー保持装置１の構成の一例を示す図である。
【図５】変形例３に係るセンサー保持装置１の構成の一例を示す図である。
【図６】第２実施形態に係るセンサー保持装置の構成の一例を示す第２の図である。
【図７】第２実施形態に係る覆い部の一例を示す図である。
【図８】第２実施形態に係るセンサー保持部の一例を示す図である。
【図９】第２実施形態に係るセンサー保持部と、ガスケットと、覆い部との相対位置の一例を示す図である。
【図１０】第２実施形態に係る制御部の一例を示す図である。
【図１１】第２実施形態に係るセンサー保持装置２の設置方向の一例を示す図である。
【図１２】変形例４に係るセンサー保持装置２の構成の一例を示す図である。
【図１３】変形例５に係るセンサー保持装置２の構成の一例を示す図である。
【発明を実施するための形態】
【００１５】
［第１実施形態］
＜センサー保持装置の概要について＞
以下、図を参照して本発明の実施形態について説明する。
図１は、第１実施形態に係るセンサー保持装置１の概要の一例を示す図である。
センサー保持装置１は、対象物ＯＢに設置され、当該対象物ＯＢの状態を検出する装置である。図１に示す通り、この一例では、対象物ＯＢが鉄塔ＴＷである。センサー保持装置１は、複数の検出部（不図示）を備える。検出部とは、腐食センサー、海塩付着量センサー、劣化予測センサー、濡れセンサー、ドライガーゼ、二酸化亜鉛（以下、ＰｂＯ２）プレート、湿度センサー、及び降雨センサー等である。腐食センサー、海塩付着量センサー、劣化予測センサー、及び濡れセンサーは、設置される位置の大気環境の腐食の程度を検出するセンサーである。腐食センサー、海塩付着量センサー、劣化予測センサー、及び濡れセンサーとは、例えば、ＡＣＭ（Ａｔｍｏｓｐｈｅｒｉｃ  Ｃｏｒｒｏｓｉｏｎ  Ｍｏｎｉｔｏｒ）センサーである。腐食センサー、海塩付着量センサー、劣化予測センサー、及び濡れセンサーは、設置される位置の大気環境において、当該センサーが腐食し、腐食の程度を検出するセンサーである。
【００１６】
ドライガーゼとは、ドライガーゼ法による塩化物の測定に用いられるガーゼである。ドライガーゼは、当該ドライガーゼの表面に塩化物を付着させる。ドライガーゼを用いることにより、大気環境の分析者は、ドライガーゼが設置される位置の大気環境に存在する塩化物の程度を分析することができる。ＰｂＯ２プレートは、当該ＰｂＯ２プレートが設置される位置の大気環境に存在する二酸化硫黄と反応し、硫酸塩を形成することにより、二酸化硫黄を捕捉する。ＰｂＯ２プレートを用いることにより、大気環境の分析者は、ＰｂＯ２プレートが設置される位置の大気環境に存在する二酸化硫黄の程度を分析することができる。
【００１７】
湿度センサーは、当該センサーが設置される位置の大気環境の湿度を検出するセンサーである。また、降雨センサーは、当該センサーが設置される位置における降雨を検出するセンサーである。
【００１８】
以降の説明において、センサー保持装置１が、複数の腐食センサー（以下、腐食センサーＣと記載する）を備える場合について説明する。腐食センサーＣは、鉄塔ＴＷのうち、センサー保持装置１が設置された位置の腐食の程度を検出し、腐食の程度を示す情報（以下、検出情報）を記録する。鉄塔ＴＷを管理する管理者は、センサー保持装置１が記録する検出情報を参照することにより、センサー保持装置１が設置される位置の鉄塔ＴＷの腐食の程度を推測する。
【００１９】
なお、上述では、センサー保持装置１が検出情報を記録する構成について説明したが、これに限られない。センサー保持装置１は、検出情報を集約する集約装置と、情報を送受信可能に接続されており、集約装置に検出情報を送信する構成を備えていてもよい。
【００２０】
＜センサー保持装置の構成について：箱型の場合＞
以下、図２を参照してセンサー保持装置１の構成について説明する。
図２は、第１実施形態に係るセンサー保持装置１の構成の一例を示す第１の図である。具体的には、図２（ａ）は、センサー保持装置１の前面の一例を示す図である。また、図２（ｂ）は、センサー保持装置１の背面の一例を示す図である。
以降の説明において、図２等に示すＸＹＺ直交座標系を設定し、各部の位置関係等を説明することがある。このＸＹＺ直交座標系において、Ｙ軸方向は、センサー保持装置１の縦方向であって、Ｘ軸方向は、センサー保持装置１の横方向であって、Ｚ軸方向は、センサー保持装置１の奥行き方向である。また、以降の説明において、Ｙ軸の正の方向を上方と記載し、Ｙ軸の負の方向を下方と記載する。また、Ｘ軸の正の方向を右方向と記載し、Ｘ軸の負の方向を左方向と記載する。また、Ｚ軸の正の方向を後方と記載し、Ｚ軸の負の方向を前方と記載する。また、センサー保持装置１が有する面のうち、ＸＹ平面と水平な面であって、Ｚ軸の正の方向の面を背面、Ｚ軸の負の方向の面を前面と記載する。
【００２１】
＜センサー保持部について＞
センサー保持装置１は、センサー保持部１０と、状態切換部２０とを備える。センサー保持部１０とは、腐食センサーＣを保持する機構である。本実施形態では、センサー保持装置１が箱型である。具体的には、センサー保持装置１は、箱型のセンサー保持部１０を備える。センサー保持部１０は、仕切りによって複数のスペースＳＣに区切られる。ここで、センサー保持部１０は、センサー保持装置１が備える腐食センサーＣの数に応じた複数のスペースＳＣに区切られる。図２（ａ）に示す通り、センサー保持部１０は、センサー保持部１０の内部にスペースＳＣ１〜スペースＳＣ６の６つのスペースＳＣを有する。各スペースＳＣは、開口部を有する箱型の形状を有する。また、スペースＳＣ１〜スペースＳＣ６は、それぞれ保持領域ＨＡ（不図示）を有する。保持領域ＨＡとは、センサー保持部１０が有する面のうち、腐食センサーＣが保持される面（以下、センサー面）に存在する領域である。保持領域ＨＡには、１つの腐食センサーＣが保持される。この一例では、スペースＳＣ１は、保持領域ＨＡ１を有し、保持領域ＨＡ１には腐食センサーＣ１が保持される。スペースＳＣ２は、保持領域ＨＡ２を有し、保持領域ＨＡ２には腐食センサーＣ２が保持される。スペースＳＣ３は、保持領域ＨＡ３を有し、保持領域ＨＡ３には腐食センサーＣ３が保持される。スペースＳＣ４は、保持領域ＨＡ４を有し、保持領域ＨＡ４には腐食センサーＣ４が保持される。スペースＳＣ５は、保持領域ＨＡ５を有し、保持領域ＨＡ５には腐食センサーＣ５が保持される。スペースＳＣ６は、保持領域ＨＡ６を有し、保持領域ＨＡ６には腐食センサーＣ６が保持される。
また、保持領域ＨＡは、センサー保持部１０上の領域であって、スペースＳＣの後方に配置される側面に存在する領域である。
【００２２】
なお、上述では、保持領域ＨＡがセンサー保持部１０上の領域であって、スペースＳＣの後方に配置される側面に存在する領域である場合について説明したが、これに限られない。保持領域ＨＡは、スペースＳＣの後方に配置される側面、前方に配置される側面、左方に配置される側面及び右方に配置される側面のうち少なくとも１つの側面に存在する領域であってもよい。
【００２３】
＜状態切換部（蓋部）について＞
また、図２（ａ）に示す通り、センサー保持装置１は、センサー保持部１０に備えられた複数の保持領域ＨＡの各々に対応する複数の蓋部ＦＰを有する。具体的には、スペースＳＣ１（保持領域ＨＡ１）は、蓋部ＦＰ１を有し、スペースＳＣ２（保持領域ＨＡ２）は、蓋部ＦＰ２を有し、スペースＳＣ３（保持領域ＨＡ３）は、蓋部ＦＰ３を有し、スペースＳＣ４（保持領域ＨＡ４）は、蓋部ＦＰ４を有し、スペースＳＣ５（保持領域ＨＡ５）は、蓋部ＦＰ５を有し、スペースＳＣ６（保持領域ＨＡ６）は、蓋部ＦＰ６を有する。
【００２４】
蓋部ＦＰの形状と、スペースＳＣの開口部の形状とは、一致又は略一致する。蓋部ＦＰが閉状態である場合、スペースＳＣの開口部は、蓋部ＦＰによって覆われる。ここで、蓋部ＦＰが閉状態である場合、スペースＳＣと、蓋部ＦＰとによって構成される空間ＥＰは、密閉又は略密閉される。つまり、蓋部ＦＰが閉状態である場合、保持領域ＨＡ（腐食センサーＣ）は、大気環境に暴露されていない状態（以下、非暴露状態）である。蓋部ＦＰが開状態である場合、スペースＳＣの開口部のうち、少なくとも一部は、蓋部ＦＰによって覆われない。ここで、蓋部ＦＰが開状態である場合、スペースＳＣと、蓋部ＦＰとによって構成される空間ＥＰは、密閉されない。つまり、蓋部ＦＰが開状態である場合、保持領域ＨＡ（腐食センサーＣ）は、大気環境に暴露された状態（以下、暴露状態）である。暴露状態である腐食センサーＣは、センサー保持装置１が設置される位置の大気環境の腐食の程度を検出する。非暴露状態である腐食センサーＣは、センサー保持装置１が設置される位置の大気環境の腐食の程度を検出しない。
ここで、複数の蓋部ＦＰを総称して状態切換部２０と記載する。換言すると、状態切換部２０は、複数の蓋部ＦＰを備える。
また、この一例では、センサー保持部１０は、スペースＳＣ毎に乾燥剤ｄｔ（不図示）を備える。乾燥剤ｄｔは、乾燥剤ｄｔが配置されるスペースＳＣと、蓋部ＦＰとによって形成される空間ＥＰの大気を乾燥させる。
【００２５】
なお、センサー保持部１０は、乾燥剤ｄｔに代えて、除湿剤を備えていてもよい。この場合、除湿剤は、配置される空間ＥＰの湿度を除去する。また、センサー保持部１０は、乾燥剤ｄｔに代えて、ヒーターを備えていてもよい。この場合、ヒーターは、配置される空間ＥＰ中の温度を高め、湿度を除去する。
【００２６】
＜蓋部の開閉制御について＞
各蓋部ＦＰは、開閉が制御される。例えば、センサー保持装置１は、制御部３０（不図示）を備え、制御部３０は、各蓋部ＦＰの開閉を制御する。
例えば、制御部３０は、蓋部ＦＰのうち、少なくとも一部の蓋部ＦＰを開状態に制御し、他の蓋部ＦＰを閉状態に制御する。また、制御部３０は、暴露状態である保持領域ＨＡに保持される腐食センサーＣが腐食の程度を検出した後、当該保持領域ＨＡを有するスペースＳＣが備える蓋部ＦＰを閉状態に制御する。
具体的には、制御部３０は、蓋部ＦＰ１を開状態に制御する場合、蓋部ＦＰ２〜蓋部ＦＰ６を閉状態に制御する。また、制御部３０は、蓋部ＦＰ１を備えるスペースＳＣ１が有する保持領域ＨＡ１によって保持される腐食センサーＣ１が腐食の程度を検出した後、蓋部ＦＰ１を閉状態に制御する。
また、制御部３０は、蓋部ＦＰのうち、これまでに腐食の程度を検出していない腐食センサーＣを保持する保持領域ＨＡを有するスペースＳＣの蓋部ＦＰを開状態に制御することが好ましい。また、制御部３０は、複数の腐食センサーＣのいずれもが腐食の程度を検出する前（以下、開始状態）や、少なくとも一部の腐食センサーＣが腐食の程度を検出した後（以下、終了状態）に、全ての蓋部ＦＰを閉状態に制御することが好ましい。開始状態とは、例えば、センサー保持装置１の工場出荷時の状態である。また、開始状態とは、センサー保持装置１が備える腐食センサーＣが検出する腐食の程度の記録を開始する前の状態である。
【００２７】
＜取付部について＞
また、図２（ｂ）に示す通り、センサー保持装置１は、取付部ＡＴを備える。取付部ＡＴとは、センサー保持装置１を設置する対象物ＯＢ（この一例では、鉄塔ＴＷ）にセンサー保持装置１を取り付ける機構である。この一例では、センサー保持装置１は、取付部ＡＴをセンサー保持装置１の背面に備える。取付部ＡＴとは、例えば、ステンレスバンド、取付金具、粘着シール、粘着ステッカー等である。この一例では、取付部ＡＴが、取付金具である場合について説明する。
【００２８】
ここで、図２（ａ）に示す通り、センサー保持部１０が有するスペースＳＣの開口部は、取付部ＡＴによってセンサー保持装置１が対象物ＯＢに取り付けられた取付状態において鉛直上方に配置される。したがって、センサー保持装置１が取付部ＡＴによって対象物ＯＢに取り付けられた場合であって、蓋部ＦＰが開状態に制御される場合、センサー保持部１０は、当該蓋部ＦＰを有するスペースＳＣの保持領域ＨＡ（腐食センサーＣ）を暴露状態にすることが可能である。
【００２９】
なお、センサー保持部１０が有するスペースＳＣの開口部は、取付状態においてセンサー保持部１０の鉛直下方に配置されてもよく、スペースＳＣの前面に配置されてもよい。
【００３０】
＜第１実施形態のまとめ＞
以上説明したように、本実施形態のセンサー保持装置１は、センサー保持部１０と、状態切換部２０とを備える。センサー保持部１０は、腐食の程度を検出する検出部（この一例では、腐食センサーＣ）を保持する保持領域ＨＡを複数有する。状態切換部２０は、センサー保持部１０に備えられた複数の保持領域ＨＡのうち、一部の保持領域ＨＡについて腐食センサーＣが保持されたときのセンサー面を暴露状態にし、かつ他の保持領域ＨＡについて腐食センサーＣが保持されたときのセンサー面を非暴露状態にすることが可能である。具体的には、本実施形態のセンサー保持装置１が備える状態切換部２０は、センサー保持部１０に備えられた複数の保持領域ＨＡの各々に対応する複数の蓋部ＦＰを有する。蓋部ＦＰは、開状態において、保持領域ＨＡを暴露状態にする。また、蓋部ＦＰは、閉状態において保持領域ＨＡを非暴露状態にする。
【００３１】
従来、腐食の程度を検出することが求められる対象物が鉄塔である場合等、腐食センサー等のセンサーを設置する作業者は、高所作業を行うことが求められ、容易にセンサーの設置又は交換を行うことが困難であった。
【００３２】
本実施形態のセンサー保持装置１は、複数の腐食センサーＣを備え、腐食センサーＣの暴露状態及び非暴露状態を変化させることができる。これにより、本実施形態のセンサー保持装置１は、腐食センサーＣを設置する手間を低減することができる。
また、本実施形態のセンサー保持装置１は、複数の腐食センサーＣを備えることによって、腐食センサーＣが１つの場合と比較して腐食センサーＣを交換する間隔を長期間にすることができる。つまり、本実施形態のセンサー保持装置１は、腐食センサーＣの保守作業を行う作業間隔を長期間にすることができる。
【００３３】
また、本実施形態のセンサー保持装置１が備える状態切換部２０（この一例では、蓋部ＦＰ）は、センサー保持部１０が有する複数の保持領域ＨＡのすべてについて腐食センサーＣが保持されたときのセンサー面を非暴露状態にすることが可能である。また、状態切換部２０は、開始状態や終了状態に、全ての蓋部ＦＰが閉状態にされることにより、保持領域ＨＡを非暴露状態にする。
ここで、開始状態において、腐食センサーＣが暴露状態である場合、センサー保持装置１が対象物ＯＢに設置される前に腐食センサーＣの腐食が進み、設置される位置の腐食の程度を正確に検出することが困難である場合がある。また、センサー保持装置１の設置者が終了状態のセンサー保持装置１をすぐに回収することが困難である場合、回収が行われるまで腐食センサーＣの腐食が進み、所望の期間の腐食の程度を正確に検出することが困難である場合がある。
本実施形態のセンサー保持装置１によれば、開始状態と終了状態において腐食センサーＣが非暴露状態にされることにより、腐食センサーＣが開始状態より前及び終了状態より後に非暴露状態にされることを抑制することができる。
【００３４】
なお、センサー保持装置１が開始状態において、非暴露位置にセンサー保持部１０と、蓋部ＦＰとの相対位置を変化させる場合について説明したが、これに限られない。例えば、工場出荷時において、蓋部ＦＰが保持領域ＨＡを非暴露状態にする場合、センサー保持装置１は、開始状態において蓋部ＦＰの状態を変化させなくてもよい。
【００３５】
［変形例１：蓋部がシール材の場合］
以下、図を参照して本発明の変形例１について説明する。
第１実施形態では、蓋部ＦＰの開閉が制御されることに応じて、センサー保持部１０が暴露状態及び非暴露状態に制御される場合について説明したが、これに限られない。
変形例１では、蓋部ＦＰがシール材によって構成され、センサー保持部１０が暴露状態及び非暴露状態に制御される場合について説明する。
なお、上述した実施形態と同様の構成については、同一の符号を付して説明を省略する。
【００３６】
＜センサー保持部について＞
図３は、変形例１に係るセンサー保持装置１の構成の一例を示す図である。
変形例１のセンサー保持装置１は、板状のセンサー保持部１０を備える。また、この一例では、センサー保持部１０は、６つの保持領域ＨＡを備える。また、上述したように、腐食センサーＣ１〜腐食センサーＣ６は、それぞれ保持領域ＨＡ１〜保持領域ＨＡ６に保持される。
【００３７】
＜状態切換部（蓋部：シール材）について＞
また、図３に示す通り、センサー保持装置１は、複数の保持領域ＨＡの各々に対応する複数のシールＳＬを有する。具体的には、保持領域ＨＡ１には、シールＳＬ１が添付され、保持領域ＨＡ２には、シールＳＬ２が添付され、保持領域ＨＡ３には、シールＳＬ３が添付され、保持領域ＨＡ４には、シールＳＬ４が添付され、保持領域ＨＡ５には、シールＳＬ５が添付され、保持領域ＨＡ６には、シールＳＬ６が添付される。
ここで、シールＳＬは、添付された状態において、当該シールＳＬが添付される位置に保持される腐食センサーＣを覆い、当該腐食センサーＣを非暴露状態にする。また、シールＳＬは、剥離された状態において、当該シールＳＬが添付されていた位置に保持される腐食センサーＣを非暴露状態にする。各シールＳＬは、センサー保持装置１の開始状態において、センサー保持装置１が備える保持領域ＨＡ（腐食センサーＣ）に添付される。
制御部３０（不図示）は、シールＳＬの剥離を制御する。例えば、センサー保持装置１は、シールＳＬを剥離することが可能な機構を備えており、制御部３０は、当該機構を制御することによって、保持領域ＨＡに添付されているシールＳＬを剥離する。これにより、腐食センサーＣは、暴露状態にされる。
また、シールＳＬが剥離され、当該シールＳＬが添付されていた保持領域ＨＡに保持される腐食センサーＣが腐食の程度を検出した後、腐食センサーＣは、非暴露状態にされる。例えば、腐食センサーＣは、センサー保持部１０から容易に取り外し可能な機構を有しており、制御部３０は、当該機構を制御することによって、保持領域ＨＡから腐食センサーＣを取り外す。また、図３に示す通り、変形例１のセンサー保持装置１は、下方に収納箱ＢＸ１を備える。収納箱ＢＸ１とは、内部に収納する収納物を非暴露状態にする箱である。制御部３０は、腐食の程度を検出した後の腐食センサーＣを保持領域ＨＡから取り外し、収納箱ＢＸ１に収納する。これにより、腐食センサーＣは、非暴露状態にされる。
【００３８】
＜変形例１のまとめ＞
以上説明したように、変形例１のセンサー保持装置１は、蓋部ＦＰが開閉しない場合であっても、腐食センサーＣの暴露状態及び非暴露状態を変化させることができる。
【００３９】
なお、保持領域ＨＡが保持する腐食センサーＣを非暴露状態にする構成は、シールＳＬに代えて袋であってもよい。この場合、袋によって覆われる腐食センサーＣは、非暴露状態であって、袋が剥離された腐食センサーＣは、暴露状態である。また、この場合、センサー保持装置１は、袋を剥離する機構を有し、制御部３０は、当該機構を制御することによって、袋を剥離する。また、制御部３０は、腐食の程度を検出した腐食センサーＣを収納箱ＢＸ１に収納する。これにより、腐食センサーＣは、暴露状態及び非暴露状態にされる。
【００４０】
［変形例２：蓋部がゴム材の場合］
以下、図を参照して本発明の変形例２について説明する。
第１実施形態では、蓋部ＦＰの開閉が制御されることに応じて、センサー保持部１０が暴露状態及び非暴露状態に制御される場合について説明したが、これに限られない。
変形例２では、蓋部ＦＰがゴム材によって構成され、センサー保持部１０が暴露状態及び非暴露状態に制御される場合について説明する。
なお、上述した実施形態及び変形例と同様の構成については、同一の符号を付して説明を省略する。
【００４１】
＜センサー保持装置の形状について＞
図４は、変形例２に係るセンサー保持装置１の構成の一例を示す図である。図４に示す通り、変形例２のセンサー保持装置１は、センサー保持部１０と、状態切換部２０との全体が収納箱ＢＸである収納箱ＢＸ２によって覆われる。また、収納箱ＢＸ２は、上述した実施形態のセンサー保持部１０と同様に、仕切りによって複数のスペースＳＣに区切られる。図４に示す通り、収納箱ＢＸ２は、収納箱ＢＸ２の内部にスペースＳＣ１〜スペースＳＣ６の６つのスペースＳＣを有する。各スペースＳＣは、上部に開口部を有する箱型の形状を有する。
【００４２】
＜センサー保持部について＞
この一例では、センサー保持装置１は、センサー保持部１０として、各スペースＳＣにそれぞれスライド板ＳＢを備える。具体的には、センサー保持装置１は、センサー保持部１０として、スライド板ＳＢ１〜スライド板ＳＢ６を備える。各スライド板ＳＢは、それぞれ保持領域ＨＡを備える。つまり、スライド板ＳＢ１〜スライド板ＳＢ６は、保持領域ＨＡ１〜保持領域ＨＡ６を備える。また、上述したように、腐食センサーＣ１〜腐食センサーＣ６は、それぞれ保持領域ＨＡ１〜保持領域ＨＡ６に保持される。スライド板ＳＢは、制御部３０（不図示）によって上方にスライド可能な機構を備える。
【００４３】
＜状態切換部（蓋部：シール材）について＞
また、図４に示す通り、センサー保持装置１は、各スペースＳＣの開口部の形状と一致又は略一致する形状の蓋部ＦＰを備える。ここで、変形例２の蓋部ＦＰとは、ゴムによって構成される。また、蓋部ＦＰには、切込みを有する。蓋部ＦＰの切り込みは、スライド板ＳＢ及びスライド板ＳＢの保持領域ＨＡに保持される腐食センサーＣが蓋部ＦＰの上方及び下方を通過させることが可能である。ここで、スペースＳＣは、蓋部ＦＰによって開口部が密閉又は略密閉される。このため、スペースＳＣに備えられるスライド板ＳＢの保持領域ＨＡが保持する腐食センサーＣは、非暴露状態である。
また、上述したように、制御部３０は、スライド板ＳＢを制御し、蓋部ＦＰを介して収納箱ＢＸ２の外方にスライド板ＳＢを露出させる。この場合、腐食センサーＣは、暴露状態である。また、制御部３０は、腐食の程度を検出した後の腐食センサーＣを保持するスライド板ＳＢを制御し、蓋部ＦＰを介して収納箱ＢＸの内部に収納する。この場合、腐食センサーＣは、非暴露状態である。
【００４４】
＜変形例２のまとめ＞
以上説明したように、変形例２のセンサー保持装置１は、蓋部ＦＰが開閉しない場合であっても、腐食センサーＣの暴露状態及び非暴露状態を変化させることができる。
【００４５】
［変形例３：蓋部が回転する場合］
以下、図を参照して本発明の変形例３について説明する。
第１実施形態では、蓋部ＦＰの開閉が制御されることに応じて、センサー保持部１０が暴露状態及び非暴露状態に制御される場合について説明したが、これに限られない。
変形例３では、蓋部ＦＰが回転されることに応じて、センサー保持部１０が暴露状態及び非暴露状態に制御される場合について説明する。
なお、上述した実施形態及び変形例と同様の構成については、同一の符号を付して説明を省略する。
【００４６】
＜センサー保持装置の形状について＞
図５は、変形例３に係るセンサー保持装置１の構成の一例を示す図である。図５に示す通り、変形例３のセンサー保持装置１は、センサー保持部１０と、状態切換部２０との全体が収納箱ＢＸである収納箱ＢＸ２によって覆われる。また、収納箱ＢＸ２は、上述した実施形態のセンサー保持部１０と同様に、仕切りによって複数のスペースＳＣに区切られる。図５に示す通り、収納箱ＢＸ２は、収納箱ＢＸ２の内部にスペースＳＣ１〜スペースＳＣ６の６つのスペースＳＣを有する。各スペースＳＣは、前方に開口部を有する箱型の形状を有する。
【００４７】
＜センサー保持部について＞
変形例３のセンサー保持装置１は、センサー保持装置１が備えるスペースＳＣの数に応じた数の回転板ＲＢをセンサー保持部１０として備える。この一例では、センサー保持装置１は、センサー保持部１０として、回転板ＲＢ１〜回転板ＲＢ６を備える。回転板ＲＢは、各スペースＳＣに備えられる。
各回転板ＲＢは、それぞれ保持領域ＨＡを備える。つまり、回転板ＲＢ１〜回転板ＲＢ６は、保持領域ＨＡ１〜保持領域ＨＡ６を備える。ここで、回転板ＲＢの前面及び背面のうち、保持領域ＨＡを備える面が前面である。また、上述したように、腐食センサーＣ１〜腐食センサーＣ６は、それぞれ保持領域ＨＡ１〜保持領域ＨＡ６に保持される。回転板ＲＢは、制御部３０（不図示）によってＹ軸と平行な軸周りに回転可能な機構を備える。具体的には、回転板ＲＢ１〜回転板ＲＢ６は、それぞれＹ軸と平行な回転軸ＡＸである回転軸ＡＸ１〜回転軸ＡＸ６を有し、回転軸ＡＸ周りに回転される。
【００４８】
＜状態切換部（蓋部）について＞
上述したように、回転板ＲＢは、制御部３０によって回転される。ここで、回転板ＲＢが回転されることによって、当該回転板ＲＢの裏面がセンサー保持装置１の前面に位置する場合、腐食センサーＣは、スペースＳＣの内部に配置され、非暴露状態である。
ここで、回転板ＲＢの裏面がセンサー保持装置１の前面に位置する場合、回転板ＲＢの裏面によって回転板ＲＢの表面（腐食センサーＣ）が覆われる。換言すると、回転板ＲＢは、センサー保持部１０であって、かつ状態切換部２０（蓋部ＦＰ）である。
また、回転板ＲＢが回転されることによって、当該回転板ＲＢの表面がセンサー保持装置１の前面に位置する場合、腐食センサーＣは、暴露状態である。
【００４９】
＜変形例３のまとめ＞
以上説明したように、変形例３のセンサー保持装置１は、蓋部ＦＰが開閉しない場合であっても、腐食センサーＣの暴露状態及び非暴露状態を変化させることができる。
【００５０】
［第２実施形態］
以下、図を参照して本発明の第２実施形態について説明する。
第１実施形態では、センサー保持装置１が箱型であって、状態切換部２０は、状態切換部２０が備える蓋部ＦＰを開状態又は閉状態にし、保持領域ＨＡが暴露状態及び非暴露状態にする場合について説明した。
第２実施形態では、センサー保持装置２が円筒形であって、センサー保持部１１を回転させることにより、状態切換部２１と、センサー保持部１１との相対位置を変化させ、保持領域ＨＡを暴露状態及び非暴露状態にする場合について説明する。
なお、上述した実施形態及び変形例と同様の構成については、同一の符号を付して説明を省略する。
【００５１】
＜センサー保持装置の構成について：回転式の場合＞
以下、図６を参照してセンサー保持装置２の構成について説明する。
図６は、第２実施形態に係るセンサー保持装置２の構成の一例を示す第２の図である。具体的には、図６（ａ）は、センサー保持装置２の前面の一例を示す図である。また、図６（ｂ）は、センサー保持装置２の背面の一例を示す図である。
上述したように、センサー保持装置２は、円筒形である。センサー保持装置２は、センサー保持部１１と、状態切換部２１と、ガスケットＧＫと、ケースＣＳと、制御部３１（不図示）とを備える。
センサー保持部１１は、センサー面に複数の保持領域ＨＡを有し、腐食センサーＣを保持するホルダーである。
状態切換部２１は、センサー保持部１１に備えられた複数の保持領域ＨＡ（腐食センサーＣ）のうち一部を覆い、かつ他を覆わないことが可能な形状を持つ覆い部ＣＶである。
ガスケットＧＫは、センサー保持部１１と、覆い部ＣＶとの間に配置され、センサー保持部１１と、覆い部ＣＶとの隙間を塞ぐ機構である。ガスケットＧＫがセンサー保持部１１と、覆い部ＣＶとの隙間を塞ぐことによって、センサー保持部１１と、覆い部ＣＶとの間に生じる空間は密閉される。つまり、センサー保持部１１の保持領域ＨＡに保持される腐食センサーＣのうち、センサー保持部１１と、覆い部ＣＶとの間に配置される腐食センサーＣは、非暴露状態である。
ケースＣＳは、制御部３１を覆うケースである。
上述したように、センサー保持装置２は、円筒形であるため、センサー保持部１１、ガスケットＧＫ、及び覆い部ＣＶは、直径が一致又は略一致する円形である。また、ケースＣＳは、制御部３１を収納可能な奥行きを有する円筒形である。
なお、ケースＣＳは、制御部３１を覆うケースである構成に代えて、センサー保持部１１、ガスケットＧＫ及び覆い部ＣＶを覆う構成であってもよい。この場合、ケースＣＳは、センサー保持部１１、ガスケットＧＫ及び覆い部ＣＶを収納可能な奥行きを有する円筒形である。
【００５２】
また、図６（ｂ）に示す通り、センサー保持装置２は、取付部ＡＴを備える。
ここで、図６（ａ）に示す通り、覆い部ＣＶは、取付部ＡＴによってセンサー保持装置２が対象物ＯＢ（この一例では、鉄塔ＴＷ）に取り付けられた取付状態において鉛直上方に開口して、センサー保持部１１のうちの一部を暴露状態にする開口部を備える。以降の説明において、覆い部ＣＶが備える開口部を切欠き部ｎｃと記載する。したがって、覆い部ＣＶは、取付部ＡＴによってセンサー保持装置２が鉄塔ＴＷに取り付けられた取付状態において、上部に切欠き部ｎｃを有する。また、ガスケットＧＫは、覆い部ＣＶと同様の位置及び形状の切欠き部ｎｃを有する。
【００５３】
センサー保持部１１が保持する複数の腐食センサーＣのうち、切欠き部ｎｃの位置に位置する腐食センサーＣは、覆い部ＣＶによって覆われないため、暴露状態である。以降の説明において、切欠き部ｎｃの位置に対応するセンサー保持部１１上の位置を暴露位置と記載する。したがって、暴露位置に保持される腐食センサーＣは、暴露状態である。
また、センサー保持部１１が保持する複数の腐食センサーＣのうち、暴露位置以外の位置に保持される腐食センサーＣ（不図示）は、覆い部ＣＶによって覆われるため、非暴露状態である。
したがって、覆い部ＣＶは、センサー保持部１１のうち、一部を暴露状態にし、他を非暴露状態にする。
図６（ａ）に示す通り、この一例では、切欠き部ｎｃは、センサー保持部１１が保持する腐食センサーＣのうち、ある１つの腐食センサーＣを暴露状態にする形状である。この場合、暴露位置に保持される１つの腐食センサーＣを除く他の腐食センサーＣは、覆い部ＣＶに覆われることによって非暴露状態である。
制御部３１は、状態切換部２１（この一例では、覆い部ＣＶ）と、センサー保持部１１との相対位置を制御することにより、暴露位置を変化させる。
【００５４】
なお、この一例では、センサー保持装置２がガスケットＧＫを備える場合について説明したが、これに限られない。センサー保持装置２は、覆い部ＣＶがセンサー保持部１１を覆った状態において、覆い部ＣＶと、センサー保持部１１との間に、隙間が生じないように配置されれば、ガスケットＧＫを備えていなくてもよい。
また、センサー保持装置２は、覆い部ＣＶがセンサー保持部１１を覆った状態において、センサー保持部１１が保持する腐食センサーＣのうち、暴露位置以外の位置に保持される腐食センサーＣが非暴露状態であれば、ガスケットＧＫに代えて、他の構成をセンサー保持部１１と、覆い部ＣＶとの間に備えていてもよい。例えば、センサー保持装置２は、センサー保持部１１と、覆い部ＣＶとの間にパッキンを備えていてもよい。
【００５５】
また、センサー保持装置２は、暴露位置に配置される保持領域ＨＡ（腐食センサーＣ）が１つである構成に代えて、複数の保持領域ＨＡ（腐食センサーＣ）が暴露位置に配置される構成であってもよい。この場合、切欠き部ｎｃは、保持領域ＨＡ（腐食センサーＣ）を２つ以上暴露状態にする形状であってもよい。また、センサー保持装置２は、１つの保持領域ＨＡ（腐食センサーＣ）を暴露状態にする形状の切欠き部ｎｃを２つ以上有する形状であってもよい。
【００５６】
＜状態切換部（覆い部）について＞
以下、図７を参照して状態切換部２１（覆い部ＣＶ）の詳細について説明する。
図７は、第２実施形態に係る覆い部ＣＶの一例を示す図である。図７（ａ）は、覆い部ＣＶの前面を示す図である。また、図７（ｂ）は、覆い部ＣＶの背面を示す図である。
【００５７】
図７（ａ）に示す通り、切欠き部ｎｃの下部は、覆い部ＣＶの前面が下方に向かって低くなるように傾斜する。これにより、切欠き部ｎｃは、雨水等が溜まることが抑制される。この場合、センサー保持装置２は、切欠き部ｎｃに位置する保持領域ＨＡによって保持される腐食センサーＣが降雨時等に浸水することを抑制する。
【００５８】
図７（ｂ）に示す通り、覆い部ＣＶは、裏面に複数の凹部ＣＰを有する。具体的には、覆い部ＣＶは、センサー保持部１１が保持する腐食センサーＣの数と同一又は腐食センサーＣの数より多い数の凹部ＣＰを備える。この一例では、センサー保持部１１が保持する腐食センサーＣの数と、凹部ＣＰの数とが一致する。具体的には、覆い部ＣＶは、凹部ＣＰ１、凹部ＣＰ２、…、凹部ＣＰ５の５つの凹部ＣＰを有する。
また、この一例では、覆い部ＣＶは、凹部ＣＰ毎に乾燥剤ｄｔを備える。乾燥剤ｄｔは、乾燥剤ｄｔが配置される凹部ＣＰと、センサー保持部１１とによって形成される空間ＥＰ（不図示）の大気を乾燥させる。空間ＥＰの詳細については後述する。
【００５９】
＜センサー保持部について＞
以下、図８を参照してセンサー保持部１１について説明する。
図８は、第２実施形態に係るセンサー保持部１１の一例を示す図である。
上述したように、センサー保持部１１とは、円形である。センサー保持部１１は、円形の中心（以下、回転中心ＣＧ）の周囲の円周に沿って複数の保持領域ＨＡを有する。図８に示す通り、この一例では、回転中心ＣＧは、Ｚ軸と平行又は略平行な軸である。また、保持領域ＨＡは、センサー保持部１１上のセンサー面の領域であって、覆い部ＣＶが有する凹部ＣＰの位置と対応する位置である。この一例では、センサー保持部１１は、覆い部ＣＶの凹部ＣＰの数と対応する複数の保持領域ＨＡを有する。具体的には、センサー保持部１１は、保持領域ＨＡ１、保持領域ＨＡ２、…、保持領域ＨＡ５の５つの保持領域ＨＡを有する。また、センサー保持部１１は、各保持領域ＨＡに１つの腐食センサーＣを有する。具体的には、センサー保持部１１は、保持領域ＨＡ１に腐食センサーＣ１、保持領域ＨＡ２に腐食センサーＣ２、…、保持領域ＨＡ５に腐食センサーＣ５を保持する。
また、図８に示す通り、センサー保持部１１は、回転中心ＣＧの位置にセンサー保持部１１の前面から背面まで貫通した中心穴部ＣＨＬを有する。
【００６０】
＜センサー保持部、ガスケット及び蓋部の相対位置について＞
以下、図９を参照してガスケットＧＫについて説明する。
図９は、第２実施形態に係るセンサー保持部１１と、ガスケットＧＫと、覆い部ＣＶとの相対位置の一例を示す図である。
図９に示す通り、ガスケットＧＫは、覆い部ＣＶの各凹部ＣＰと同一の位置にガスケットＧＫの前面から背面まで貫通した穴であって、各凹部ＣＰの開口部と同一の形状の穴部ＨＬを有する。したがって、この一例では、ガスケットＧＫは、各凹部ＣＰの開口部と同一の形状を有する穴部ＨＬ１、穴部ＨＬ２、…、穴部ＨＬ５の５つの穴部ＨＬを備える。
【００６１】
図９に示す通り、センサー保持部１１、ガスケットＧＫ及び覆い部ＣＶは、各部の円形の中心（以下、回転中心ＣＧ）が一致又は略一致する位置に配置される。また、覆い部ＣＶ及びガスケットＧＫがセンサー保持部１１を覆うことにより、覆い部ＣＶが有する凹部ＣＰの開口部がセンサー保持部１１によって覆われる。これにより、センサー保持部１１と、覆い部ＣＶとの間に、複数の空間ＥＰ（不図示）が生じる。上述したように、覆い部ＣＶは、５つの凹部ＣＰを備える。このため、覆い部ＣＶ及びガスケットＧＫと、センサー保持部１１との間には、５つの空間ＥＰが生じる。保持領域ＨＡに保持される複数の腐食センサーＣのうち、暴露位置以外の位置の保持領域ＨＡに保持される腐食センサーＣは、空間ＥＰにそれぞれ収納される。ここで、センサー保持部１１と、ガスケットＧＫと、覆い部ＣＶとによって構成される空間ＥＰは、密閉又は略密閉される。つまり、空間ＥＰに位置する保持領域ＨＡ（腐食センサーＣ）は、非暴露状態である。
【００６２】
なお、上述では、覆い部ＣＶが複数の凹部ＣＰを有する場合について説明したが、これに限られない。覆い部ＣＶは、凹部ＣＰを１つ有する構成であってもよい。具体的には、複数の凹部ＣＰ１、凹部ＣＰ２、…、凹部ＣＰ５が仕切られておらず、一体の凹部ＣＰであってもよい。この場合、ガスケットＧＫは、凹部ＣＰに応じた数の別体である構成に代えて、穴部ＨＬを１つ有する構成であってもよい。
【００６３】
＜制御部について＞
制御部３１は、センサー保持部１１を、回転中心ＣＧを中心にして回転方向に回転させる。これにより、センサー保持部１１と覆い部ＣＶとは、所定の回転中心ＣＧを中心にして回転方向に相対位置が変化される。
具体的には、制御部３１は、回転中心ＣＧの一側から見て（＋Ｚ方向に見て）反時計回りに回転中心ＣＧを中心にしてセンサー保持部１１を回転する。所定の時間とは、例えば、腐食センサーＣが暴露状態において腐食の程度を検出することが可能な時間である。制御部３１は、センサー保持部１１が備える保持領域ＨＡのうち、ある１つの保持領域ＨＡが暴露位置に保持されるようにセンサー保持部１１を回転する。制御部３１が所定の時間毎にセンサー保持部１１を回転する制御は、タイマーやプログラムに基づいて行われることが好ましい。
ここで、覆い部ＣＶと、センサー保持部１１との相対位置に応じて、切欠き部ｎｃに配置される保持領域ＨＡは、覆い部ＣＶによって覆われない。つまり、覆い部ＣＶと、センサー保持部１１との相対位置に応じて、切欠き部ｎｃに配置される保持領域ＨＡは、暴露状態である。また、覆い部ＣＶと、センサー保持部１１との相対位置に応じて、切欠き部ｎｃ以外の位置に配置される保持領域ＨＡは、覆い部ＣＶにより覆われる。つまり、覆い部ＣＶと、センサー保持部１１との相対位置に応じて、切欠き部ｎｃ以外の位置に配置される保持領域ＨＡは、非暴露状態である。
換言すると、覆い部ＣＶは、覆い部ＣＶとセンサー保持部１１との相対位置に応じて、覆い部ＣＶにより覆われない保持領域ＨＡについて暴露状態にし、かつ覆い部ＣＶにより覆われる保持領域ＨＡについて非暴露状態にする。
【００６４】
なお、上述では、制御部３１が所定の時間毎にセンサー保持部１１を回転する場合について説明したが、これに限られない。例えば、センサー保持装置２は、鉄塔ＴＷが設置される地表面の位置に近い位置であって、センサー保持装置２の操作者が操作可能な位置に操作部を備えていてもよい。この場合、操作者によって操作部が操作されることに応じて、制御部３１がセンサー保持部１１を回転する。
また、制御部３１が所定の時間毎にセンサー保持部１１を回転する構成に代えて、センサー保持部１１を回転させる時間の指示を遠隔操作によって行ってもよい。この場合、センサー保持装置２と、当該指示を送信する装置とは、情報を送受信可能に接続される。制御部３１は、指示を送信する装置から受信した当該指示に基づいて、センサー保持部１１を回転する。
また、回転方向が、回転中心ＣＧの一側から見て（＋Ｚ方向に見て）反時計回りである構成に代えて、時計回りであってもよい。
【００６５】
＜制御部の詳細について＞
以下、図を参照してセンサー保持部１１を回転させる制御部３１の詳細について説明する。
図１０は、第２実施形態に係る制御部３１の一例を示す図である。
図１０（ａ）は、制御部３１がセンサー保持部１１を固定する一例を示す図である。図１０（ｂ）は、制御部３１がセンサー保持部１１を回転する一例を示す図である。
図１０に示す通り、制御部３１は、支持部ＰＬと、稼働部ＭＰＬとを備える。支持部ＰＬは、制御部３１と、センサー保持部１１とを接続する。稼働部ＭＰＬは、センサー保持部１１の中心穴部ＣＨＬを介してガスケットＧＫと制御部３１とを接続する。また、稼働部ＭＰＬは、制御部３１の制御に基づいて動作し、前方及び後方に稼働する。制御部３１は、例えば、モーターを備えており、モーターを制御することによって、稼働部ＭＰＬを稼働する。モーターとは、例えば、サーボモーターや、ＤＣ（Ｄｉｒｅｃｔ  Ｃｕｒｒｅｎｔ）モーターである。
制御部３１は、所定の時間毎に稼働部ＭＰＬを前方（−Ｚ方向）に稼働し、覆い部ＣＶと、ガスケットＧＫとを前方に移動させる。これにより、覆い部ＣＶ及びガスケットＧＫと、センサー保持部１１との間に間隔が生じ、センサー保持部１１の固定が解除され、センサー保持部１１の回転が可能になる（例えば、図１０（ｂ））。
制御部３１は、センサー保持部１１の保持領域ＨＡのうち、１つの保持領域ＨＡが暴露位置に保持されるようにセンサー保持部１１を回転する。制御部３１がセンサー保持部１１を１回の動作において回転させる角度は、センサー保持部１１が備える保持領域ＨＡの位置に応じた角度である。
【００６６】
また、制御部３１は、センサー保持部１１が保持する複数の腐食センサーＣが開始状態や終了状態において、複数の腐食センサーＣが非暴露状態になる位置にセンサー保持部１１と、状態切換部２１（覆い部ＣＶ）との相対位置を変化させる。具体的には、制御部３１は、開始状態や終了状態において、保持領域ＨＡ以外の位置を暴露位置に変化させる。
【００６７】
状態切換部２１は、開始状態から所定の時間毎にセンサー保持部１１を回転させ、保持領域ＨＡ１〜保持領域ＨＡ５（腐食センサーＣ１〜腐食センサーＣ５）がそれぞれ暴露位置に保持されるようにセンサー保持部１１の回転を制御する。また、状態切換部２１は、センサー保持部１１を回転させた後、稼働部ＭＰＬを後方（＋Ｚ方向）に戻す。これにより、上述した構成と同様に覆い部ＣＶ、ガスケットＧＫ、センサー保持部１１及び状態切換部２１がケースＣＳに固定される（例えば、図１０（ａ））。これにより、センサー保持部１１が回転される前と後では、暴露位置には異なる腐食センサーＣが配置される。
したがって、状態切換部２１は、センサー保持部１１を回転させ、暴露位置に保持される保持領域ＨＡを変化させることによって、腐食の程度を検出する腐食センサーＣを交換する。
【００６８】
なお、制御部３１の制御に基づいてセンサー保持部１１が回転方向に回転される構成に代えて、状態切換部２１（覆い部ＣＶ）が回転方向に回転される構成であってもよい。
【００６９】
＜第２実施形態のまとめ＞
以上説明したように、本実施形態のセンサー保持装置２は、センサー保持部１１と、状態切換部２１とを備える。センサー保持部１１は、腐食の程度を検出する腐食センサーＣを保持する保持領域ＨＡを複数有する。状態切換部２１は、センサー保持部１１に備えられた複数の保持領域ＨＡのうち、一部の保持領域ＨＡについて腐食センサーＣが保持されたときのセンサー面を暴露状態にし、かつ他の保持領域ＨＡについて腐食センサーＣが保持されたときのセンサー面を非暴露状態にする。
また、状態切換部２１は、センサー保持部１１に備えられた複数の保持領域ＨＡのうち一部を覆い、かつ他を覆わないことが可能な形状を持つ覆い部ＣＶを有する。覆い部ＣＶは、覆い部ＣＶとセンサー保持部１１との相対位置に応じて、覆い部ＣＶにより覆われない保持領域ＨＡ（腐食センサーＣ）について暴露状態にし、かつ覆い部ＣＶにより覆われる保持領域ＨＡ（腐食センサーＣ）について非暴露状態にする。
【００７０】
本実施形態のセンサー保持装置２は、状態切換部２１が、センサー保持部１１を回転させ、センサー保持部１１と覆い部ＣＶとの相対位置を変化させることにより、非暴露状態である腐食センサーＣを変化させる。
これにより、本実施形態のセンサー保持装置２は、簡便な構成によって、腐食センサーＣを暴露状態及び非暴露状態に変化させることができる。
【００７１】
また、本実施形態のセンサー保持装置２が備える覆い部ＣＶは、取付部ＡＴによって設置される際に、鉛直上方に開口して、前記センサー保持部のうちの一部を暴露状態にする開口部（この一例では、切欠き部ｎｃ）を備える。
ここで、センサー保持装置２の切欠き部ｎｃが鉛直下方に配置されるようにセンサー保持装置２が取り付けられた場合、センサー保持装置２自体が腐食センサーＣを遮蔽し、腐食センサーＣの暴露状態を阻害する場合がある。具体的には、切欠き部ｎｃが下部に配置される場合、センサー保持装置自体によって腐食センサーＣが降雨等に直接晒されることを阻害する場合がある。
本実施形態のセンサー保持装置２は、上部に切欠き部ｎｃを有し、暴露位置に保持される腐食センサーＣの暴露状態が他の構成に阻害されることを抑制する。これにより、本実施形態のセンサー保持装置２は、対象物ＯＢの同様の環境によって腐食センサーＣが腐食の程度を検出することができる。
【００７２】
また、本実施形態のセンサー保持装置２が備える状態切換部２１（覆い部ＣＶ）は、センサー保持部１１が有する複数の保持領域ＨＡのすべてについて腐食センサーＣが保持されたときのセンサー面を非暴露状態にすることが可能である。また、状態切換部２１は、開始状態や終了状態に、全ての覆い部ＣＶが閉状態にされることにより、保持領域ＨＡを非暴露状態にする。
本実施形態のセンサー保持装置２によれば、開始状態と終了状態において腐食センサーＣが非暴露状態にされることにより、腐食センサーＣが開始状態より前及び終了状態より後に非暴露状態にされることを抑制することができる。
【００７３】
なお、センサー保持装置２が開始状態において、非暴露位置にセンサー保持部１１と、覆い部ＣＶとの相対位置を変化させる場合について説明したが、これに限られない。例えば、工場出荷時のセンサー保持部１１と、覆い部ＣＶとの相対位置が、非暴露位置である場合、センサー保持装置２は、開始状態においてセンサー保持部１１の位置を変化させなくてもよい。
【００７４】
なお、センサー保持装置２が備えるセンサー保持部１１がＺ軸と平行又は略平行な回転中心ＣＧの円周に沿って回転される構成に代えて、Ｙ軸と平行又は略平行な回転中心ＣＧ２の円周に沿って回転される構成であってもよい。
以下、Ｙ軸と平行又は略平行な回転中心ＣＧ２の円周に沿って回転される構成について説明する。図１１は、第２実施形態に係るセンサー保持装置２の設置方向の一例を示す図である。この場合、図１１に示すように、センサー保持装置２の覆い部ＣＶは、センサー保持装置２の側面に切欠き部ｎｃを備える。
【００７５】
＜変形例４＞
以下、図を参照し、第２実施形態に係る変形例４について説明する。
図１２は、変形例４に係るセンサー保持装置２の構成の一例を示す図である。
第２実施形態では、センサー保持装置２が円筒形であって、制御部３１がセンサー保持部１１を回転させることにより、状態切換部２１（覆い部ＣＶ）と、センサー保持部１１との相対位置を制御し、暴露位置を変化させる場合について説明した。
変形例４では、センサー保持装置２が箱型であって、制御部３１が状態切換部２１と、センサー保持部１１との相対位置を制御することにより、暴露位置を変化させる場合について説明する。
なお、上述した第１実施形態及び第２実施形態と同一の構成については、同様の符号を付して説明を省略する。
【００７６】
＜センサー保持装置の形状について＞
図１２は、変形例４に係るセンサー保持装置２の構成の一例を示す図である。図１２に示す通り、変形例４のセンサー保持装置２は、収納箱ＢＸである収納箱ＢＸ５によって覆われる。また、収納箱ＢＸ５が有する面のうち、前面が覆い部ＣＶである。また、覆い部ＣＶは、腐食センサーＣと一致又は略一致する形状の開口部ＡＡを有する。
【００７７】
＜センサー保持部について＞
変形例４のセンサー保持装置２は、センサー保持装置２が備える腐食センサーＣの数に応じた数のスライド板ＳＢをセンサー保持部１１として備える。この一例では、センサー保持装置２は、センサー保持部１１として、スライド板ＳＢ１１〜スライド板ＳＢ１６を備える。各スライド板ＳＢは、それぞれ保持領域ＨＡを備える。つまり、スライド板ＳＢ１１〜スライド板ＳＢ１６は、保持領域ＨＡ１〜保持領域ＨＡ６を備える。また、上述したように、腐食センサーＣ１〜腐食センサーＣ６は、それぞれ保持領域ＨＡ１〜保持領域ＨＡ６に保持される。ここで、センサー保持装置２は、レールＲを備える。スライド板ＳＢは、レールＲによって支持され、前方から後方に配置される。スライド板ＳＢは、制御部３１（不図示）によって後方から前方にレールＲに沿ってスライドされ、位置が制御される。
【００７８】
＜状態切換部（覆い部及び開口部）について＞
また、上述したように、センサー保持装置２は、前方に開口部ＡＡを備える。スライド板ＳＢは、制御部３１の制御によって前方にスライドされる。ここで、スライド板ＳＢが最前方に位置する場合、スライド板ＳＢの保持領域ＨＡが保持する腐食センサーＣは、覆い部ＣＶの開口部ＡＡによって暴露状態にされる。
なお、図１２に示す通り、スライド板ＳＢは、開口部ＡＡと一致又は略一致するガスケットＧＫ２を備えていてもよい。これにより、最前方に位置するスライド板ＳＢの保持領域ＨＡが保持する腐食センサーＣ以外の腐食センサーＣは、非暴露状態である。
また、制御部３１は、腐食の程度を検出した後の腐食センサーＣを保持するスライド板ＳＢを制御し、収納箱ＢＸ４の内部に収納する。収納箱ＢＸ４とは、センサー保持装置２が下方に備える収納箱ＢＸである。例えば、スライド板ＳＢは、レールＲから容易に取り外し可能な機構を有しており、制御部３１は、当該機構を制御することによって、レールＲからスライド板ＳＢを取り外し、収納箱ＢＸ４に収納する。これにより、腐食センサーＣは、非暴露状態である。
【００７９】
＜変形例４のまとめ＞
以上説明したように、変形例４のセンサー保持装置２によれば、制御部３１が状態切換部２１（覆い部ＣＶ）と、センサー保持部１１との相対位置を制御することにより、腐食センサーＣの暴露状態及び非暴露状態を変化させることができる。
【００８０】
＜変形例５＞
以下、図を参照し、第２実施形態に係る変形例５について説明する。
図１３は、変形例５に係るセンサー保持装置２の構成の一例を示す図である。
第２実施形態では、センサー保持装置２が円筒形であって、制御部３１がセンサー保持部１１を回転させることにより、覆い部ＣＶと、センサー保持部１１との相対位置を制御し、暴露位置を変化させる場合について説明した。
変形例５では、センサー保持装置２が箱型であって、制御部３２が状態切換部２２と、センサー保持部１２との相対位置を制御することにより、暴露位置を変化させる場合について説明する。
なお、上述した第１実施形態及び第２実施形態と同一の構成については、同様の符号を付して説明を省略する。
【００８１】
変形例５のセンサー保持装置２は、センサー保持部１２と、状態切換部２２とを備える。センサー保持部１２は、センサー保持部１０と同様の形状を有する。ここで、変形例５では、スペースＳＣ１〜スペースＳＣ５は、それぞれ保持領域ＨＡ（保持領域ＨＡ１〜保持領域ＨＡ５）を有する。センサー保持部１２は、保持領域ＨＡ１〜保持領域ＨＡ５に腐食センサーＣ１〜腐食センサーＣ５をそれぞれ保持する。スペースＳＣ６は、保持領域ＨＡを有さない。
【００８２】
状態切換部２２は、センサー保持部１２が有するスペースＳＣの開口部の形状と一致又は略一致する開口部を備える蓋部ＦＰ２２である。蓋部ＦＰ２２の開口部の形状と、スペースＳＣの開口部の形状とは、一致又は略一致する。したがって、蓋部ＦＰ２２の開口部と、スペースＳＣの開口部の位置とが一致するスペースＳＣの保持領域ＨＡ（腐食センサーＣ）は、蓋部ＦＰ２２によって覆われないため、暴露状態である。また、蓋部ＦＰの開口部と、スペースＳＣの開口部の位置とが一致しないスペースＳＣの保持領域ＨＡ（腐食センサーＣ）は、蓋部ＦＰ２２によって覆われるため、非暴露状態である。
【００８３】
図１３に示す通り、蓋部ＦＰ２２は、開始状態において、センサー保持部１２のうち、最も右に位置するスペースＳＣ（この一例では、スペースＳＣ６）の開口部と、蓋部ＦＰ２２の開口部との位置が一致又は略一致する位置に配置される。センサー保持部１２と、蓋部ＦＰ２２との相対位置は、制御部３２の制御に基づいて移動される。
【００８４】
制御部３２は、蓋部ＦＰ２２と、センサー保持部１２との相対位置を制御し、暴露位置を変化させる。
具体的には、制御部３２は、あるスペースＳＣの開口部が、蓋部ＦＰ２２の開口部と一致又は略一致する位置に蓋部ＦＰ２２を移動する。制御部３２が蓋部ＦＰ２２を１回の動作において移動させる距離は、スペースＳＣのＸ軸方向の長さと一致する。制御部３２は、所定の時間毎にスペースＳＣのＸ軸方向の長さだけ、左方向に蓋部ＦＰ２２を移動する。
【００８５】
また、制御部３２は、開始状態と、終了状態とのうち、少なくとも一方において、センサー保持部１２と、蓋部ＦＰ２２との相対位置を非暴露位置にする。
【００８６】
＜変形例５のまとめ＞
以上説明したように、変形例５のセンサー保持装置２によれば、制御部３２が状態切換部２２（蓋部ＦＰ２２）と、センサー保持部１２との相対位置を制御することにより、腐食センサーＣの暴露状態及び非暴露状態を変化させることができる。
【００８７】
なお、センサー保持装置２は、センサー保持部１２が対象物ＯＢに固定して設置され、蓋部ＦＰ２２が制御部３２の制御に基づいて移動される構成に代えて、蓋部ＦＰ２２が対象物ＯＢに固定して設置され、センサー保持部１２が制御部３２の制御に基づいて移動される構成であってもよい。
また、上述では、制御部３２が蓋部ＦＰ２２を左方向に移動させる場合について説明したが、これに限られない。制御部３２は、蓋部ＦＰ２２を右方向に移動させる構成であってもよい。この場合、蓋部ＦＰ２２は、開始状態において、センサー保持部１２のうち、最も左に位置するスペースＳＣ（この一例では、スペースＳＣ１）の開口部と、蓋部ＦＰ２２の開口部との位置が一致又は略一致する位置に配置される
【００８８】
なお、上述では、対象物ＯＢにセンサー保持装置（センサー保持装置１、又はセンサー保持装置２）が１つ設置される場合について説明したが、これに限られない。例えば、センサー保持装置は、対象物ＯＢに複数設置されるセンサー保持システムであってもよい。
この場合、センサー保持システムは、センサー保持システムが備える複数のセンサー保持装置の暴露位置を変更する。各センサー保持装置が備える腐食センサーＣは、腐食の程度を検出する。暴露位置を変更するとは、例えば、あるセンサー保持装置が備える腐食センサーＣのすべてが腐食の程度を検出した後、他のセンサー保持装置が備える腐食センサーＣが腐食の程度の検出を開始する構成であってもよく、あるセンサー保持装置が備える複数の腐食センサーＣのうち、ある１つの腐食センサーＣが腐食の程度を検出した後、他のセンサー保持装置が備える腐食センサーＣが腐食の程度を検出する構成であってもよい。
これにより、センサー保持システムは、対象物ＯＢに腐食センサーＣを設置する手間をより低減することができる。
【００８９】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００９０】
１、２…センサー保持装置、１０、１１、１２…センサー保持部、２０、２１、２２…状態切換部、３０、３１、３２…制御部、ＡＴ…取付部、Ｃ、Ｃ１、Ｃ２、Ｃ３、Ｃ４、Ｃ５、Ｃ６…腐食センサー、ＣＧ、ＣＧ２…回転中心、ＣＶ…覆い部、ＦＰ、ＦＰ１、ＦＰ２、ＦＰ３、ＦＰ４、ＦＰ５、ＦＰ６、ＦＰ２２…蓋部、ＨＡ、ＨＡ１、ＨＡ２、ＨＡ３、ＨＡ４、ＨＡ５、ＨＡ６…保持領域、ＭＰＬ…稼働部、ｎｃ…切欠き部、ＯＢ…対象物
【図１】
2018142502.tif 000003
【図２】
2018142502.tif 000004
【図３】
2018142502.tif 000005
【図４】
2018142502.tif 000006
【図５】
2018142502.tif 000007
【図６】
2018142502.tif 000008
【図７】
2018142502.tif 000009
【図８】
2018142502.tif 000010
【図９】
2018142502.tif 000011
【図１０】
2018142502.tif 000012
【図１１】
2018142502.tif 000013
【図１２】
2018142502.tif 000014
【図１３】
2018142502.tif 000015
【国際調査報告】
2018142502.tif 000016
2018142502.tif 000017
2018142502.tif 000018
2018142502.tif 000019